【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
入力された画像信号を、第１の色空間の画像信号に色補正する色補正工程と、
前記色補正工程において色補正された画像信号を、記録を実行する際の記録モードに対応する色分解テーブルを用いて、前記第１の色空間と色再現域が異なる第２の色空間の画像信号に色分解する色分解工程と、
前記色分解工程において色分解された画像信号に基づいて、設定された前記記録モードで記録を実行することにより記録媒体に画像を記録する記録工程と、
を備える記録方法であって、
前記色分解工程において、前記色補正工程において色補正された第１の画像信号を第１の記録モードに対応する色分解テーブルを用いて色分解した画像信号に基づいて、前記記録工程において前記第１の記録モードで記録を実行することにより記録された第１の画像の測色値と、前記色補正工程において色補正された第１の画像信号を前記第１の記録モードとは異なる第２の記録モードに対応する色分解テーブルを用いて色分解した画像信号に基づいて、前記記録工程において前記第２の記録モードで記録を実行することにより記録された第２の画像の測色値と、がほぼ同じであり、前記色補正工程において色補正された第２の画像信号を前記第１の記録モードに対応する色分解テーブルを用いて色分解した画像信号に基づいて、前記記録工程において前記第１の記録モードで記録を実行することにより記録された第３の画像の測色値と、前記色補正工程において色補正された第２の画像信号を前記第２の記録モードに対応する色分解テーブルを用いて色分解した画像信号に基づいて、前記記録工程において前記第２の記録モードで記録を実行することにより記録された第４の画像の測色値と、が異なる値であることを特徴とする記録方法。
【請求項２】
入力された画像信号を、第１の色空間の画像信号に色補正する色補正工程と、
前記色補正工程において色補正された画像信号を、記録を実行する際の記録モードに対応する色分解テーブルを用いて、前記第１の色空間と色再現域とは異なる第２の色空間の画像信号に色分解する色分解工程と、
前記色分解工程において色分解された画像信号に基づいて、設定された前記記録モードで記録を実行することにより記録媒体に画像を記録する記録工程と、
を備える記録方法であって、
（Ａ）色補正された信号が第１の画像信号である場合、前記色分解工程において、前記第１の記録モードで記録を実行することにより記録される画像の測色値と、前記第２の記録モードで記録を実行することにより記録される画像の測色値と、が同じとなるような画像信号に色分解し、（Ｂ）色補正された信号が前記第１の画像信号とは異なる第２の画像信号である場合、前記色分解工程において、前記第１の記録モードで記録を実行することにより記録される画像の測色値と、前記第２の記録モードで記録を実行することにより記録される画像の測色値と、が異なるような画像信号に色分解することを特徴とする記録方法。
【請求項３】
前記第１の画像の測色値と前記第２の画像の測色値との色差ΔＥが１．２未満であり、前記第３の画像の測色値と前記第４の画像の測色値とが異なる値との色差ΔＥが１．２以上であることを特徴とする請求項１または２に記載の記録方法。
【請求項４】
前記第１の記録モードと、前記第２の記録モードとは、前記記録媒体に画像を記録する記録ヘッドと前記記録媒体の単位領域との相対走査の回数、前記記録ヘッドの走査速度、記録解像度のうち少なくとも１つが異なることを特徴とする請求項１乃至３のいずれか１項に記載の記録方法。
【請求項５】
第１の記録モード及び第２の記録モードで記録を実行可能な記録装置のための画像処理装置であって、
入力された画像信号を、第１の色空間の画像信号に色補正する色補正手段と、
前記記録装置が記録を実行する際の記録モードに対応する色分解テーブルを選択する選択手段と、
前記色補正手段により色補正された信号を、前記選択手段により選択された色分解テーブルを用いて前記第１の色空間と色再現域が異なる第２の色再現域の画像信号に色分解する色分解手段と
を備え、
（Ａ）前記色補正手段により色補正された信号が第１の画像信号である場合、前記記録装置が前記第１の記録モードで記録を実行することにより記録される画像の測色値と、前記記録装置が前記第２の記録モードで記録を実行することにより記録される記録される画像の測色値と、がほぼ同じであり、（Ｂ）前記色補正手段により色補正された信号が前記第１の画像信号とは異なる第２の画像信号である場合、前記記録装置が前記第１の記録モードで記録を実行することにより記録される画像の測色値と、前記記録装置が前記第２の記録モードで記録を実行することにより記録される画像の測色値と、が異なることを特徴とする画像処理装置。
【請求項６】
（Ａ）前記色補正手段により色補正された信号が第１の画像信号である場合、前記記録装置が前記第１の記録モードで記録を実行することにより記録される画像の測色値と、前記記録装置が前記第２の記録モードで記録を実行することにより記録される記録される画像の測色値と、の色差ΔＥが１．２未満であり、（Ｂ）前記色補正手段により色補正された信号が前記第１の画像信号とは異なる第２の画像信号である場合、前記記録装置が前記第１の記録モードで記録を実行することにより記録される画像の測色値と、前記記録装置が前記第２の記録モードで記録を実行することにより記録される画像の測色値と、の色差ΔＥが１．２以上であることを特徴とする請求項５に記載の画像処理装置。
【請求項７】
画像を記録媒体に記録するための第１の記録モード及び第２の記録モードを含む複数の記録モードで記録を実行可能な記録装置のための画像処理装置であって、
入力された画像信号を、色補正情報を用いて第１の色空間の画像信号に色補正する色補正手段と、
前記記録装置が前記第１の記録モードで記録を実行する場合には第１テーブルを用い、前記記録装置が前記第２の記録モードで記録を実行する場合には第２テーブルを用いるように、前記記録装置が実行する記録モードに対応するテーブルを用いて、前記色補正手段において色補正された画像信号を前記第１の色空間とは色再現域が異なる第２の色空間の画像信号に色分解する色分解手段と、を備え、
前記記録装置が前記第１の記録モードで記録を実行することにより色再現可能な第１色再現域は第３色再現域を含み、且つ、前記記録装置が前記第２の記録モードで記録を実行することにより色再現可能な第２色再現域は前記第３色再現域を含み、
前記第１テーブルを用いて第１画像信号を色分解した第２画像信号に基づいて前記第１記録モードで記録を実行することにより色再現される第１の色は、前記第３色再現域に含まれ、且つ、前記第２テーブルを用いて前記第１画像信号を色分解した第３画像信号に基づいて前記第２記録モードで記録を実行することにより色再現される第２の色は、前記第３色再現域に含まれ、
前記第１テーブルを用いて前記第１画像信号とは異なる第４画像信号を色分解した第５画像信号に基づいて前記第１記録モードで記録を実行することにより色再現される第３の色は、前記第１色再現域に含まれるが前記第２色再現域および前記第３色再現域には含まれず、且つ、前記第２テーブルを用いて前記第４画像信号を色分解した第６画像信号に基づいて前記第２記録モードで記録を実行することにより色再現される第４の色は、前記第２色再現域に含まれるが前記第３色再現域には含まれないことを特徴とする画像処理装置。
【請求項８】
前記第１画像信号及び前記第４画像信号はＲＧＢ信号であり、前記第２画像信号、前記第３画像信号、前記第５画像信号及び前記第６画像信号は記録装置が記録媒体に付与する記録材の色に対応する信号であることを特徴とする請求項７に記載の画像処理装置。
【請求項９】
前記第１の色空間はＲＧＢ空間であり、前記第２の色空間は記録装置が記録媒体に付与する記録材の色で定義される色空間であることを特徴とする請求項７または８に記載の画像処理装置。
【請求項１０】
前記第１の色と前記第２の色との色差は所定値よりも小さくなり、前記第３の色と前記第４の色との色差が前記所定値以上であることを特徴とする請求項７乃至９のいずれか１項に記載の画像処理装置。
【請求項１１】
ＣＩＥ−Ｌａｂ空間において、前記所定値は、ΔＥ＝１．２であることを特徴とする請求項１０に記載の画像処理装置。
【請求項１２】
前記第１記録モードと前記第２記録モードとでは、前記記録装置に備えられた記録ヘッドが前記記録媒体上の単位領域に対して相対走査する回数、前記相対走査の速度、記録される画像の記録解像度のうち、少なくとも１つが異なることを特徴とする請求項７乃至１１のいずれか１項に記載の画像処理装置。
【請求項１３】
前記第１色再現域は前記第２色再現域を含み、第２色再現域より広い色再現域であることを特徴とする請求項７乃至１２のいずれか１項に記載の画像処理装置。
【請求項１４】
前記色補正情報は、前記入力された画像信号の値と前記第１の色空間の画像信号の値とを対応付ける色補正テーブルであることを特徴とする請求項７乃至１３のいずれか１項に記載の画像処理装置。
【請求項１５】
前記色補正手段は、複数の記録モードに共通な色補正情報を用いて前記入力された画像信号を、前記第１の色空間の画像信号に色補正することを特徴とする請求項７乃至１４のいずれか１項に記載の画像処理装置。
【請求項１６】
前記色分解手段によって色分解されて得られる画像信号に基づいて、前記記録媒体に記録材を付与して画像を記録する記録手段をさらに含むことを特徴とする請求項５乃至１５のいずれか１項に記載の画像処理装置。
【請求項１７】
前記記録装置はインクを記録媒体に付与することによって記録を行うことを特徴とする請求項５乃至１６のいずれか１項に記載の画像処理装置。
【請求項１８】
画像を記録媒体に記録するための第１の記録モード及び第２の記録モードを含む複数の記録モードで記録を実行可能な記録装置のための画像処理方法であって、
入力された画像信号を、色補正情報を用いて第１の色空間の画像信号に色補正する色補正工程と、
前記記録装置が前記第１の記録モードで記録を実行する場合には第１テーブルを用い、前記記録装置が前記第２の記録モードで記録を実行する場合には第２テーブルを用いるように、前記記録装置が実行する記録モードに対応するテーブルを用いて、前記色補正工程において色補正された画像信号を前記第１の色空間とは色再現域が異なる第２の色空間の画像信号に色分解する色分解工程と、を備え、
前記記録装置が前記第１の記録モードで記録を実行することにより色再現可能な第１色再現域は第３色再現域を含み、且つ、前記記録装置が前記第２の記録モードで記録を実行することにより色再現可能な第２色再現域は前記第３色再現域を含み、
前記第１テーブルを用いて第１画像信号を色分解した第２画像信号に基づいて前記第１記録モードで記録を実行することにより色再現される第１の色は、前記第３色再現域に含まれ、且つ、前記第２テーブルを用いて前記第１画像信号を色分解した第３画像信号に基づいて前記第２記録モードで記録を実行することにより色再現される第２の色は、前記第３色再現域に含まれ、
前記第１テーブルを用いて前記第１画像信号とは異なる第４画像信号を色分解した第５画像信号に基づいて前記第１記録モードで記録を実行することにより色再現される第３の色は、前記第１色再現域に含まれるが前記第３色再現域には含まれず、且つ、前記第２テーブルを用いて前記第４画像信号を色分解した第６画像信号に基づいて前記第２記録モードで記録を実行することにより色再現される第４の色は、前記第２色再現域に含まれるが前記第３色再現域には含まれないことを特徴とする画像処理方法。
【手続補正２】
【補正対象書類名】明細書
【補正対象項目名】発明の名称
【補正方法】変更
【補正の内容】
【発明の名称】記録方法、画像処理装置及び画像処理方法
【手続補正３】
【補正対象書類名】明細書
【補正対象項目名】０００１
【補正方法】変更
【補正の内容】
【０００１】
本発明は、複数の記録モードの中から１つを実行することにより記録媒体に画像を記録する記録方法、画像処理装置及び画像処理方法に関する。
【手続補正４】
【補正対象書類名】明細書
【補正対象項目名】００１２
【補正方法】変更
【補正の内容】
【００１２】
上記の課題を解決するために、本発明は、入力された画像信号を、第１の色空間の画像信号に色補正する色補正工程と、前記色補正工程において色補正された画像信号を、記録を実行する際の記録モードに対応する色分解テーブルを用いて、前記第１の色空間と色再現域が異なる第２の色空間の画像信号に色分解する色分解工程と、前記色分解工程において色分解された画像信号に基づいて、設定された前記記録モードで記録を実行することにより記録媒体に画像を記録する記録工程と、を備える記録方法であって、前記色分解工程において、前記色補正工程において色補正された第１の画像信号を第１の記録モードに対応する色分解テーブルを用いて色分解した画像信号に基づいて、前記記録工程において前記第１の記録モードで記録を実行することにより記録された第１の画像の測色値と、前記色補正工程において色補正された第１の画像信号を前記第１の記録モードとは異なる第２の記録モードに対応する色分解テーブルを用いて色分解した画像信号に基づいて、前記記録工程において前記第２の記録モードで記録を実行することにより記録された第２の画像の測色値と、がほぼ同じであり、前記色補正工程において色補正された第２の画像信号を前記第１の記録モードに対応する色分解テーブルを用いて色分解した画像信号に基づいて、前記記録工程において前記第１の記録モードで記録を実行することにより記録された第３の画像の測色値と、前記色補正工程において色補正された第２の画像信号を前記第２の記録モードに対応する色分解テーブルを用いて色分解した画像信号に基づいて、前記記録工程において前記第２の記録モードで記録を実行することにより記録された第４の画像の測色値と、が異なる値であることを特徴とする。